(57)【要約】【課題】  ロウ付けなどの面倒な加工の必要がなく、確実な位置決めによって誰でも簡単かつ安定的にパッドアームを取り付けることができる交換自在な眼鏡のノーズパッドアームを提供すること。【解決手段】  ブリッジ２の接眼側にはスリーブ突起21を設けて、かつ、その側傍には少なくとも位置決め用の凸部22を設ける一方、パッドアーム３は、固定ブロック３ａの両側から持出アーム３ｂ・３ｂを二股状に延出して成り、前記両持出アーム３ｂの各先端にはノーズパッド31をそれぞれ保持して、かつ、固定ブロック３ａには挿通孔32を開設するとともに、この固定ブロック３ａにおける前記ブリッジ２の凸部22の対向部には凹部33を成形し、前記ブリッジ２のスリーブ突起21をパッドアーム３の挿通孔32に貫挿させて、かつ、凸部22を凹部33に嵌入して、当該スリーブ突起21に開設したネジ受け孔21ａに止着ネジ４を螺合させる。【選択図】  図１
2008051835.tif 000002
【特許請求の範囲】
【請求項１】
左右一対のレンズ１・１がブリッジ２によって連結されて構成されるフロント枠Ｆを有する眼鏡において取り付けられるパッドアーム３であって、
前記ブリッジ２の接眼側にはスリーブ突起21が設けられ、かつ、その側傍には少なくとも位置決め用の凸部22が設けられている一方、
前記パッドアーム３は、固定ブロック３ａの両側から持出アーム３ｂ・３ｂが二股状に延出されて成り、前記両持出アーム３ｂの各先端にはノーズパッド31がそれぞれ保持されており、かつ、固定ブロック３ａには挿通孔32が開設されているとともに、この固定ブロック３ａにおける前記ブリッジ２の凸部22の対向部には凹部33が成形されており、
前記ブリッジ２のスリーブ突起21がパッドアーム３の挿通孔32に貫挿して、かつ、凸部22が凹部33に嵌入され、当該スリーブ突起21に開設されたネジ受け孔21ａに止着ネジ４が螺合することによって、パッドアーム３をブリッジ２に取り付け可能であることを特徴とする交換自在な眼鏡のノーズパッドアーム。
【請求項２】
左右一対のレンズ１・１がブリッジ２によって連結されて構成されるフロント枠Ｆを有する眼鏡において取り付けられるパッドアーム３であって、
前記ブリッジ２の接眼側にはスリーブ突起21が設けられ、かつ、その側傍には少なくとも位置決め用の凹部23が設けられている一方、
前記パッドアーム３は、固定ブロック３ａの両側から持出アーム３ｂ・３ｂが二股状に延出されて成り、前記両持出アーム３ｂの各先端にはノーズパッド31がそれぞれ保持されており、かつ、固定ブロック３ａには挿通孔32が開設されているとともに、この固定ブロック３ａにおけるブリッジ２の凹部23の対向部には凸部34が成形されており、
前記ブリッジ２のスリーブ突起21がパッドアーム３の挿通孔32に貫挿して、かつ、凹部23が凸部34に嵌入され、当該スリーブ突起21に開設されたネジ受け孔21ａに止着ネジ４が螺合することによってパッドアーム３をブリッジ２に取り付け可能であることを特徴とする交換自在な眼鏡のノーズパッドアーム。
【請求項３】
左右一対のレンズ１・１がブリッジ２によって連結されて構成されるフロント枠Ｆを有する眼鏡において取り付けられるパッドアーム３であって、
前記ブリッジ２の接眼側にはスリーブ突起21が設けられ、かつ、その側傍には少なくとも位置決め用の凸部22が設けられている一方、
前記パッドアーム３は、固定ブロック３ａの両側から持出アーム３ｂ・３ｂが二股状に延出されて成り、前記両持出アーム３ｂの各先端にはノーズパッド31がそれぞれ保持されており、かつ、固定ブロック３ａは六面体に成形され、かつ、この六面体型固定ブロック３ａには挿通孔32が開設されており、
前記ブリッジ２のスリーブ突起21が固定ブロック３ａの挿通孔32に貫挿して、かつ、凸部22が固定ブロック３ａの側縁に衝止することにより挟持され、当該スリーブ突起21に開設されたネジ受け孔21ａに止着ネジ４が螺合することによって、パッドアーム３をブリッジ２に取り付け可能であることを特徴とする交換自在な眼鏡のノーズパッドアーム。
【請求項４】
パッドアーム３の挿通孔32の開口部周縁に、ネジ部材４のネジ頭41を少なくとも収容可能な沈み孔32ａが形成されていることを特徴とする請求項１〜３の何れか一つに記載の交換自在な眼鏡のノーズパッドアーム。
【請求項５】
ブリッジ２のスリーブ突起21の外周に滑り止め21ｂを形成したことを特徴とする請求項１〜４の何れか一つに記載の交換自在な眼鏡のノーズパッドアーム。
【発明の詳細な説明】
【技術分野】
【０００１】
本発明は、眼鏡構造の改良、更に詳しくは、ロウ付けなどの面倒な加工の必要がなく、確実な位置決めによって誰でも簡単かつ安定的にパッドアームを取り付けることができる交換自在な眼鏡のノーズパッドアームに関するものである。
【背景技術】
【０００２】
周知のとおり、眼鏡は多くの部品から組み立てられており、眼鏡フロント枠における略中央部両側には左右一対のパッドアームが配設されており、先端にはノーズパッドが保持されている。
【０００３】
ところで、このパッドアームはブリッジやリムに固定されていることが多く、従来、その固定手段にはロウ付けや溶接などが採用されていたが（例えば、特許文献１参照）、例えば、壊れて修理する際にもそのための設備が必要であり、店舗では複雑な作業をすることができず、時間と手間がかかってしまうという不満があった。
【０００４】
また、パッドアームの先端に保持されたノーズパッドが鼻の上部に当接することから、グラついたりするとフロント枠を確実に支持することができず、不安定になってしまうという不満があった。
【特許文献１】特開２００５−１２２０６４号公報（第４−５頁、図１−２）
【発明の開示】
【発明が解決しようとする課題】
【０００５】
本発明は、従来の眼鏡構造に上記のような問題があったことに鑑みて為されたものであり、その目的とするところは、ロウ付けなどの面倒な加工の必要がなく、確実な位置決めによって誰でも簡単かつ安定的にパッドアームを取り付けることができる交換自在な眼鏡のノーズパッドアームを提供することにある。
【課題を解決するための手段】
【０００６】
本発明者が上記課題を解決するために採用した手段を添付図面を参照して説明すれば次のとおりである。
【０００７】
即ち、本発明は、左右一対のレンズ１・１がブリッジ２によって連結されて構成されるフロント枠Ｆを有する眼鏡において取り付けられるパッドアーム３であって、
前記ブリッジ２の接眼側にはスリーブ突起21を設けて、かつ、その側傍には少なくとも位置決め用の凸部22を設ける一方、
前記パッドアーム３は、固定ブロック３ａの両側から持出アーム３ｂ・３ｂを二股状に延出して成り、前記両持出アーム３ｂの各先端にはノーズパッド31をそれぞれ保持して、かつ、固定ブロック３ａには挿通孔32を開設するとともに、この固定ブロック３ａにおける前記ブリッジ２の凸部22の対向部には凹部33を成形し、
前記ブリッジ２のスリーブ突起21をパッドアーム３の挿通孔32に貫挿させて、かつ、凸部22を凹部33に嵌入して、当該スリーブ突起21に開設したネジ受け孔21ａに止着ネジ４を螺合させることによって、パッドアーム３をブリッジ２に取り付け可能にするという技術的手段を採用した。
【０００８】
また、本発明は、ブリッジ２の接眼側にはスリーブ突起21が設けられ、かつ、その側傍には少なくとも位置決め用の凹部23が設けられている一方、
パッドアーム３は、固定ブロック３ａの両側から持出アーム３ｂ・３ｂを二股状に延出して成り、前記両持出アーム３ｂの各先端にはノーズパッド31をそれぞれ保持して、かつ、固定ブロック３ａには挿通孔32を開設するとともに、この固定ブロック３ａにおけるブリッジ２の凹部23の対向部には凸部34を成形し、
前記ブリッジ２のスリーブ突起21をパッドアーム３の挿通孔32に貫挿させて、かつ、凹部23を凸部34に嵌入して、当該スリーブ突起21に開設したネジ受け孔21ａに止着ネジ４を螺合させることによってパッドアーム３をブリッジ２に取り付け可能にするという技術的手段を採用した。
【０００９】
更にまた、本発明は、ブリッジ２の接眼側にはスリーブ突起21が設けられ、かつ、その側傍には少なくとも位置決め用の凸部22が設けられている一方、
パッドアーム３は、固定ブロック３ａの両側から持出アーム３ｂ・３ｂを二股状に延出して成り、前記両持出アーム３ｂの各先端にはノーズパッド31をそれぞれ保持して、かつ、固定ブロック３ａを六面体に成形し、かつ、この六面体型固定ブロック３ａには挿通孔32を開設し、
前記ブリッジ２のスリーブ突起21を固定ブロック３ａの挿通孔32に貫挿して、かつ、凸部22を固定ブロック３ａの側縁に衝止することにより挟持して、当該スリーブ突起21に開設したネジ受け孔21ａに止着ネジ４を螺合させることによって、パッドアーム３をブリッジ２に取り付け可能にするという技術的手段を採用した。
【００１０】
また、本発明は、上記課題を解決するために、必要に応じて上記手段に加え、パッドアーム３の挿通孔32の開口部周縁に、ネジ部材４のネジ頭41を少なくとも収容可能な沈み孔32ａを形成するという技術的手段を採用した。
【００１１】
更にまた、本発明は、上記課題を解決するために、必要に応じて上記手段に加え、ブリッジ２のスリーブ突起21の外周に滑り止め21ｂを形成するという技術的手段を採用した。
【発明の効果】
【００１２】
本発明によれば、ブリッジの接眼側にはスリーブ突起を設け、かつ、その側傍には少なくとも位置決め用の凸部を設ける一方、パッドアームは固定ブロックの両側から持出アームを二股状に延出して成り、前記両持出アームの各先端にはノーズパッドをそれぞれ保持して、かつ、固定ブロックには挿通孔を開設するとともに、この固定ブロックにおけるブリッジの凹部の対向部には凸部を成形し、前記ブリッジのスリーブ突起をパッドアームの挿通孔に貫挿させて、かつ、凹部を凸部に嵌入して、当該スリーブ突起に開設したネジ受け孔に止着ネジを螺合させることによって、パッドアームをブリッジに確実かつ安定的に取り付けることができる。
【００１３】
従って、ロウ付けなどの面倒な加工の必要がなく、確実な位置決めによって誰でも簡単かつ安定的にパッドアームを取り付けることができ、交換が自在であることから、実用的利用価値は頗る高いものがある。
【発明を実施するための最良の形態】
【００１４】
本発明を実施するための最良の形態を具体的に図示した図面に基づいて更に詳細に説明すると、次のとおりである。
【００１５】
『第１実施形態』
本発明の第１実施形態を図１から図３に基づいて説明する。図中、符号１で指示するものはレンズであり、符号２で指示するものは、これら左右一対のレンズ１・１を連結するブリッジである。
【００１６】
また、符号３で指示するものはパッドアームであり、このパッドアーム３は、固定ブロック３ａの両側から持出アーム３ｂ・３ｂを二股状に延出して成り、前記両持出アーム３ｂの各先端にはノーズパッド31をそれぞれ保持されている。
【００１７】
本実施形態では、固定ブロック３ａおよび持出アーム３ｂ・３ｂをβ−チタンで一体成形するとともに、ノーズパッド31には滑り難いシリコン材料を採用することができる。そして、符号４で指示するものはネジ部材である。
【００１８】
しかして、本発明の交換自在な眼鏡のノーズパッドアームは、図１に示すように、左右一対のレンズ１・１がブリッジ２によって連結されて構成されるフロント枠Ｆを有する眼鏡において取り付けられるパッドアーム３であって、構成するにあっては、まず、前記ブリッジ２の接眼側にはスリーブ突起21を設け、かつ、その側傍には少なくとも位置決め用の凸部22を設ける（図２参照）。
【００１９】
次に、前記パッドアーム３は、固定ブロック３ａの両側から持出アーム３ｂ・３ｂを二股状に延出して成り、前記両持出アーム３ｂの各先端にはノーズパッド31をそれぞれ保持して、かつ、固定ブロック３ａには挿通孔32を開設するとともに、この固定ブロック３ａにおける前記ブリッジ２の凸部22の対向部には凹部33を成形する（図３参照）。
【００２０】
そして、前記ブリッジ２のスリーブ突起21をパッドアーム３の挿通孔32に貫挿させて、かつ、凸部22を凹部33に嵌入する。本実施形態では、これら凸部22および凹部33をそれぞれ２箇所に設けるとともに、角型形状に形成する。
【００２１】
然る後、前記スリーブ突起21に開設されたネジ受け孔21ａに止着ネジ４を螺合させることによって、パッドアーム３をブリッジ２に確実かつ安定的に取り付けることができるのである。
【００２２】
『第２実施形態』
次に、本発明の第２実施形態を図４および図５に基づいて説明する。本実施形態では、第１実施形態と同様に、前記ブリッジ２の接眼側にはスリーブ突起21が設けられているけれども、その側傍には少なくとも位置決め用の凹部23を設ける（図４参照）。
【００２３】
また、パッドアーム３の固定ブロック３ａにおけるブリッジ２の凹部23の対向部には凸部34を成形して、前記ブリッジ２のスリーブ突起21がパッドアーム３の挿通孔32に貫挿して、かつ、凹部23が凸部34に嵌入させることができる（図５参照）。本実施形態では、これら凸部22および凹部33をそれぞれ２箇所に設けるとともに、円型形状に形成する。
【００２４】
そして、前記スリーブ突起21に開設されたネジ受け孔21ａに止着ネジ４を螺合させることによってパッドアーム３をブリッジ２に取り付け可能である点については、第１実施形態と同様である。
【００２５】
『第３実施形態』
本発明の第３実施形態を図６および図７に基づいて説明する。本実施形態では、第１および第２実施形態と同様に、前記ブリッジ２の接眼側にはスリーブ突起21が設けられているけれども、その側傍には少なくとも位置決め用の凸部22を設ける（図６参照）。
【００２６】
また、前記パッドアーム３は、固定ブロック３ａの両側から持出アーム３ｂ・３ｂを二股状に延出して成り、前記両持出アーム３ｂの各先端にはノーズパッド31をそれぞれ保持して、かつ、固定ブロック３ａを六面体に成形し、かつ、この六面体型固定ブロック３ａには挿通孔32を開設する。
【００２７】
そして、前記ブリッジ２のスリーブ突起21をパッドアーム３の挿通孔32に貫挿させて、かつ、凸部22を固定ブロック３ａの側縁に衝止させることにより挟持することができる。なお、本実施形態では、凸部22を１箇所に形成したが、この六面体型固定ブロック３ａを両側から挟持できるように複数箇所に設けることが可能である（図７参照）。
【００２８】
なお、本実施形態では、ブリッジ２のスリーブ突起21の外周に、ローレット加工や凹凸などの滑り止め21ｂを形成することができ、抵抗を増すことによりパッドアーム３を抜け落ち難くすることができる。
【００２９】
然る後、前記スリーブ突起21に開設されたネジ受け孔21ａに止着ネジ４を螺合させることによって、パッドアーム３をブリッジ２に取り付け可能である点については、第１および第２実施形態と同様である。
【００３０】
また、本実施形態では、パッドアーム３の挿通孔32の開口部周縁に、ネジ部材４のネジ頭41を少なくとも収容可能な沈み孔32ａを形成することができ、表面をすっきりしたフラットにすることができる。
【００３１】
本発明は概ね上記のように構成されるが、図示の実施形態に限定されるものでは決してなく、「特許請求の範囲」の記載内において種々の変更が可能であって、例えば、ブリッジ２およびパッドアーム３の凹部および凸部の形状や数量、位置は、求める強度などによって設計変更が可能であり、本発明の技術的範囲に属する。
【図面の簡単な説明】
【００３２】
【図１】本発明の第１実施形態の眼鏡を表わす全体斜視図である。
【図２】本発明の第１実施形態を表わす部分斜視図である。
【図３】本発明の第１実施形態を表わす部分斜視図である。
【図４】本発明の第２実施形態を表わす部分斜視図である。
【図５】本発明の第２実施形態を表わす部分斜視図である。
【図６】本発明の第３実施形態を表わす部分斜視図である。
【図７】本発明の第３実施形態を表わす部分斜視図である。
【符号の説明】
【００３３】
１    レンズ
２    ブリッジ
21    スリーブ突起
21ａ  ネジ受け孔
21ｂ  滑り止め
22    凸部
23    凹部
３    パッドアーム
３ａ  固定ブロック
３ｂ  持出アーム
31    ノーズパッド
32    挿通孔
32ａ  沈み孔
33    凹部
34    凸部
４    ネジ部材
41    ネジ頭
Ｆ    フロント枠
【図１】
2008051835.tif 000003
【図２】
2008051835.tif 000004
【図３】
2008051835.tif 000005
【図４】
2008051835.tif 000006
【図５】
2008051835.tif 000007
【図６】
2008051835.tif 000008
【図７】
2008051835.tif 000009